(57)【要約】【課題】制御基板に取付けられた遊技制御用のＲＯＭの不正な取り外し、差し替えを確実に阻止できる基板ケースを備えた遊技機を提供する。【解決手段】ＲＯＭカバー１２が主制御基板７の表面７ａのＲＯＭ１１を覆って複数の固定用ビス４６で固定される。次に、主制御基板７がカバーケース１８に固定用ビス４７で固定されて表面７ａの外側がカバーケース１８で覆われる。そして、ベースケース１７が主制御基板７の裏面７ｂの外側を覆うように裏面７ｂに近接状に配設され、ロックピン５０とカシメキャップ５１によりベースケース１７にカバーケース１８を分離不能に固定する。【選択図】図３
2010110474.tif 000002
【特許請求の範囲】
【請求項１】
制御基板と、この制御基板に取付けられた遊技制御用のＲＯＭとを備えた遊技機において、
前記ＲＯＭを覆うＲＯＭカバーであって、前記制御基板の電子部品実装側の第１面に複数の第１締結部材で固定されたＲＯＭカバーと、
前記制御基板の第１面と反対側の第２面に近接状に配設されて第２面の外側を覆う第１ケースと、
前記制御基板の第１面の外側を覆う箱状の第２ケースと、
前記制御基板を第２ケースに固定する複数の第２締結部材と、
前記第１ケースに第２ケースを分離不能に固定する複数のロック機構と、
を備えたことを特徴とする遊技機。
【請求項２】
前記第１締結部材はビスからなることを特徴とする請求項１に記載の遊技機。
【請求項３】
前記第２締結部材はビスからなることを特徴とする請求項１又は２に記載の遊技機。
【請求項４】
前記ロック機構は、ロックピンとカシメキャップとを有することを特徴とする請求項１〜３の何れかに記載の遊技機。
【請求項５】
前記第１ケースの外側に第１ケースに重なる状態に配設されるホルダーケースを裏機構板に固定状態に設け、ホルダーケースの上端部に第１ケースの上端部をヒンジ結合したことを特徴とする請求項１〜４の何れかに記載の遊技機。
【発明の詳細な説明】
【技術分野】
【０００１】
本発明は、遊技制御用のＲＯＭが実装された制御基板を収納した基板ケースを備えた遊技機に関するものである。
【背景技術】
【０００２】
従来から、パチンコ遊技機やスロットマシン等の遊技機においては、その盤面の裏面側に、遊技の制御を行う制御基板（回路基板）を収容した基板ケースが設置されている。例えば、パチンコ遊技機の場合、制御基板には、演算処理機能を有するＣＰＵ、遊技の進行に必要なプログラムやデータテーブルが記憶されたＲＯＭ、ＲＡＭ、その他抵抗等の各種電子部品が実装されており、基板ケースはこの制御基板を外部から保護する役割を果たす。
【０００３】
しかしながら、このようなパチンコ遊技機が設置されたパチンコホールでは、不正者により、主制御基板に取付けられたＲＯＭがプログラムや大当り抽選確率のデータテーブルが改造された不正ＲＯＭに交換され、この不正行為によりパチンコホールが多大な損害を被るといった問題が生じていた。
【０００４】
このため、従来からこのような不正行為を防止するため、基板ケースの封止構造に種々の工夫を講じた技術が採用されている。例えば、カバーケースの内部に主制御基板を締結部材で締結した後、本体ケースにカバーケースを重ね合わせ、ロックピンとカシメキャップにより本体ケースとカバーケースを分離不能に固定する封止構造が採用されている。
【０００５】
近年、主制御基板上にＲＯＭを覆うＲＯＭカバーを配設した基板ケースにおいて、ＲＯＭカバーと制御基板と本体ケースとを締結部材で締結後、ロックピンとカシメキャップにより本体ケースとカバーケースを分離不能に固定する封止構造も採用されている。
【０００６】
特許文献１の遊技機には、制御基板を収容する基板ケースが本体ケースと本体ケースを覆うカバーケースとからなり、本体ケースとカバーケースとをカシメピンにより分離不能に固定する封止構造が開示されている。
【特許文献１】特許第４０７１８２０号公報
【発明の開示】
【発明が解決しようとする課題】
【０００７】
従来の基板ケースの封止構造においては、不正者が主制御基板の正規ＲＯＭを不正ＲＯＭに交換する不正行為が行われる場合、カシメキャップをニッパ等の工具で切断、破壊してからロックピンを取り外し、本体ケースとカバーケースを分離した後、締結部材を取り外すことで、正規ＲＯＭを不正ＲＯＭに交換する。
【０００８】
また、ＲＯＭカバーを設けた基板ケースの封止構造においては、前記と同様の手順で本体ケースとカバーケースを分離した後、締結部材を取り外すことで主制御基板からＲＯＭカバーを取り外し、正規ＲＯＭを不正ＲＯＭに交換する。
【０００９】
上述の通り、従来の基板ケースは、複数の固定箇所（封止箇所）を設けた構造であるので、不正者による不正ＲＯＭの交換を阻止できるが、この不正行為をより確実に阻止するためには、その取り外し作業に更に手間や時間がかかる封止構造が望まれる。
本発明の目的は、制御基板に取付けられた遊技制御用のＲＯＭの不正な取り外し、差し替えを確実に阻止できる封止構造を有する基板ケースを備えた遊技機を提供することである。
【課題を解決するための手段】
【００１０】
上記目的を達成するために本発明は以下のような構成を採用した。尚、括弧内の参照符号は、本発明の理解を助けるために図面との対応関係の一例を示したものであり、本発明の技術的範囲を何ら限定するものではない。
請求項１の遊技機は、制御基板(7) と、この制御基板(7) に取付けられた遊技制御用のＲＯＭ(11)とを備えた遊技機(1) において、ＲＯＭ(11)を覆うＲＯＭカバー(12)であって、制御基板(7) の電子部品実装側の第１面(15)に複数の第１締結部材(46)で固定されたＲＯＭカバー(12)と、制御基板(7) の第１面(15)と反対側の第２面(16)に近接状に配設されて第２面(16)の外側を覆う第１ケース(17)と、制御基板(7) の第１面(15)の外側を覆う箱状の第２ケース(18)と、制御基板(7) を第２ケース(18)に固定する複数の第２締結部材(47)と、第１ケース(17)に第２ケース(18)を分離不能に固定する複数のロック機構とを備えている。
【００１１】
制御基板(7) と第１，第２ケース(17,18) とＲＯＭカバー(12)が分離状態から使用状態に組み立てられる場合、先ず、ＲＯＭカバー(12)が制御基板(7) の第１面(15)のＲＯＭ(11)を覆って複数の第１締結部材(46)により第１面(15)に固定される。次に、複数の第２締結部材(47)により、制御基板(7) が第２ケース(18)に固定される。次に、第１ケース(17)が制御基板(7) の第２面(16)に近接状に配設され、制御基板(7) の第２面(16)の外側が第１ケース(17)で覆われ、複数のロック機構により第１ケース(17)と第２ケース(18)が分離不能に固定される。
【００１２】
請求項２の遊技機は、請求項１の発明において、第１締結部材(46)はビスからなることを特徴としている。
請求項３の遊技機は、請求項１又は２の発明において、第２締結部材(47)はビスからなることを特徴としている。
【００１３】
請求項４の遊技機は、請求項１〜３の発明の何れかにおいて、ロック機構は、ロックピン(50)とカシメキャップ(51)とを有することを特徴としている。
請求項５の遊技機は、請求項１〜４の発明の何れかにおいて、第１ケース(17)の外側に第１ケース(17)に重なる状態に配設されるホルダーケース(14)を裏機構板(6) に固定状態に設け、ホルダーケース(14)の上端部に第１ケース(17)の上端部をヒンジ結合したことを特徴としている。
【発明の効果】
【００１４】
請求項１の発明によれば、制御基板の第１面に複数の第１締結部材で固定されＲＯＭを覆うＲＯＭカバーと、制御基板の第２面に近接状に配設されて第２面の外側を覆う第１ケースと、制御基板の第１面の外側を覆う第２ケースと、制御基板を第２ケースに固定する複数の第２締結部材と、第１ケースに第２ケースを分離不能に固定する複数のロック機構とを備えたので、固定箇所（封止箇所）を増やすことにより、制御基板の遊技制御用のＲＯＭの取り外し作業に手間と時間がかかるため、不正行為を確実に防止することができる。
【００１５】
即ち、第１，第２ケースから制御基板を取り出してＲＯＭを不正ＲＯＭに交換する場合、先ず、複数のロック機構を工具等で破壊してから第１，第２ケースを分離する。次に、第２締結部材を取り外してから第２ケースから制御基板を取り出す。更に、第１締結部材を取り外してから制御基板の第１面からＲＯＭカバーを取り外すことで、ＲＯＭに辿り着ける。そのため、これら一連の取り外し作業に手間と時間がかかり、ＲＯＭを容易に取り外すことができない。
【００１６】
請求項２の発明によれば、第１締結部材はビスからなるので、ＲＯＭカバーを制御基板に確実に締結固定することができる。
請求項３の発明によれば、第２締結部材はビスからなるので、制御基板を第２ケースに確実に締結固定することができる。
【００１７】
請求項４の発明によれば、ロック機構は、ロックピンとカシメキャップとを有するので、第１ケースと第２ケースを取り外し不能に強固に固定でき、不正ＲＯＭの交換行為を確実に阻止することができる。
【００１８】
請求項５の発明によれば、第１ケースの外側に第１ケースに重なる状態に配設されるホルダーケースを裏機構板に固定状態に設け、ホルダーケースの下端部に第１ケースの下端部をヒンジ結合したので、ヒンジ結合により第１，第２ケースを固定姿勢から傾動させることができ、制御基板の第２面を検査することができる。制御基板の第２面に対する不正行為を確実に防止することができる。
【発明を実施するための最良の形態】
【００１９】
本実施例は、制御基板と、この制御基板に取付けられた遊技制御用のＲＯＭとを備えた遊技機に、本発明を適用した場合の一例である。
以下、本発明を実施するための最良の形態について実施例に基づいて説明する。
【実施例】
【００２０】
図１に示すように、パチンコ遊技機１には、パチンコホールの島構造体に取付けられる外枠に開閉枠２が開閉自在に装着され、開閉枠２に開閉扉３が開閉自在に装着されている。開閉枠２には遊技盤（図示略）が装着され、その遊技盤の前面側に遊技領域（図示略）が形成されている。開閉扉３には窓３ａが形成され、その窓３ａに透明なガラス板３ｂが装着され、そのガラス板３ｂにより遊技領域の前側が覆われている。
【００２１】
開閉扉３の窓３ａの下側に、遊技球を貯留する貯留皿４と、遊技者が操作する発射ハンドル５が装着されている。発射ハンドル５が回動操作されると、貯留皿４から発射位置に導入された遊技球が発射される。ここで、貯留皿４に複数の遊技球が存在する場合には、例えば、複数の遊技球が約０．６秒間隔で連続発射される。
【００２２】
図２に示すように、遊技盤の裏側には裏機構板６が設けられ、この裏機構板６には、主制御基板７を有する主基板ユニット８、画像制御基板を有する画像基板ユニット９、電源基板を有する電源基板ユニット１０が、夫々、所定位置に取付けられている。画像基板ユニット９のカバーケース９ａの表面や、電源基板ユニット１０のカバーケース１０ａの表面には、内部で発生する熱を逃すための複数の小径の放熱孔９ｂ，１０ｂが形成されている。
【００２３】
次に、主制御基板ユニット８について詳細に説明する。
図３〜図８に示すように、主制御基板ユニット８は、主制御基板７と、主制御基板７の遊技制御用のＲＯＭ１１を覆うＲＯＭカバー１２と、主制御基板７を収容する基板ケース１３と、基板ケース１３を揺動可能に支持するホルダーケース１４とを備えている。
【００２４】
図３〜図６に示すように、基板ケース１３は、主制御基板７の電子部品実装側の表面７ａ（第１面）と反対側の裏面７ｂ（第２面）の外側を覆うベースケース１７（第１ケース）と、主制御基板７の表面７ａの外側を覆うカバーケース１８（第２ケース）とを備えている。ベースケース１７とカバーケース１８を分離不能に固定する複数のロック機構３０も設けられている。これらベースケース１７とカバーケース１８は、主制御基板７の表面７ａと裏面７ｂが外部から見えるように透明な合成樹脂の成形体で構成されている。
【００２５】
図３に示すように、ベースケース１７は横長矩形状で浅い箱形の樹脂成形体からなり、ベースケース１７の本体板部から手前側へ直角に立ち上がる狭い幅の上端壁と下端壁と右端壁とを備えている。ベースケース１７は、主制御基板７の裏面７ｂに近接状に配設されている。ベースケース１７の上端壁と下端壁には、カバーケース１８の上下１対の係合溝２０ａ，２０ｂに係合可能な１対の係合片１９ａ，１９ｂが形成されている。ベースケース１７の上端壁には、ホルダーケース１４とヒンジ結合する１対のヒンジ軸受部２１ａ，２１ｂが上方へ突出状に設けられている。
【００２６】
ベースケース１７の左端部には、カバーケース１８に嵌合する嵌合部２２が突出状に設けられている。ベースケース１７の右端壁から外側へ突出状に、盤用外部端子板カバー２３と、この盤用外部端子板カバー２３よりも下側に位置し前後方向幅を大きくし且つ外側へコ字状に張り出したベース側ガード壁２４とが設けられている。
【００２７】
ベースケース１７の右端壁の外側近傍部位には、ベース側ガード壁２４よりも内側に位置する４つのボス部２６が一体形成されている。各ボス部２６は、短柱状のボス本体部と、このボス本体部をベース側ガード壁２４に連結するリブと、ボス本体部の前端に連なる棚部と、この棚部の上下右の側部方を覆い且つ棚部と一体のＵ形部２６ａとを有する。ボス本体部には後述するロックピン５０の先端を係合させる小孔が形成され、このボス本体部によりロックピン５１を抜脱不能とするようになっている。
【００２８】
図３〜図５に示すように、カバーケース１８は、横長矩形の深さ約２０ｍｍ位の後方に開口する箱状に形成され、透明合成樹脂材料で構成されている。
カバーケース１８の内部にはパチンコ遊技機１を制御する各種電子部品が実装された主制御基板７が固定される。主制御基板７を固定したカバーケース１８にベースケース１７を重ね合わせ、４組のロック機構３０によりカバーケース１８をベースケース１７に分離不能に固定するように構成されている。こうして、主制御基板７は、ベースケース１７とカバーケース１８の間に形成される収納空間に収容された状態になる。
【００２９】
カバーケース１８の上端部分と下端部分には、夫々、主制御基板７に実装された複数の基板側コネクタ２７ａ〜２７ｆを露出させるための複数の開口部２８ａ〜２８ｆが形成されている。カバーケース１８の表面（前面）の左端部にはリセットピンカバー２９が回動可能に枢支されている。
【００３０】
カバーケース１８の上端部と下端部にはベースケース１７の係合片１９ａ，１９ｂに対向する溝形成部１８ａ，１８ｂが形成されている。これら溝形成部１８ａ，１８ｂには、係合片１９ａ，１９ｂを挿入してベースケース１７をスライドさせるための係合溝２０ａ，２０ｂが夫々形成されている。係合片１９ａ，１９ｂには、溝形成部１８ａ，１８ｂ側の連結部を導入してスライドさせる３つのＬ形スリット１５ａ〜１５ｃが形成されている。
【００３１】
図６に示すように、カバーケース１８の右上隅部の内側には、主制御基板位置決め用の突起３１が突設されている。カバーケース１８の内側のうち、上記の突起３１よりも下側の部位には、ボス部２５が主制御基板７側に向けて突設され、そのボス部２５にはビス孔が形成されている。上記の突起３１を主制御基板７のピン穴５６に嵌合させて主制御基板７を位置決めした状態で、ビス４７をボス部２５のビス穴に螺合させることで、主制御基板７がカバーケース１８に固定されている。
【００３２】
図３、図４に示すように、カバーケース１８の左端壁部には、ベースケース１７の嵌合部２２が嵌合される嵌合孔３２が左右方向に貫通状に形成されている。
カバーケース１８の右端部分には、ベース側ガード壁２４の内側に係合するコ字状のカバー側ガード壁３４が形成されている。このカバー側ガード壁３４の上部前端から外側へ正方形状の舌片３５が突出し、この舌片３５の表面に二次元バーコードが記録されている。カバー側ガード壁３４の右端面中央部から係合片３６が右方へ突出している。カバーケース１８をベースケース１７に係合させ且つ前記のＬ形スリット１５ａ〜１５ｃを介してスライドさせると、嵌合部２２が嵌合孔３２に嵌合すると共に、係合片３６がベース側ガード壁２４の係合孔１６に係合して、カバーケース１８がベースケース１７から離隔しなくなる。
【００３３】
ベースケース１７にカバーケース１８を分離不能に固定する４組のロック機構３０が設けられている。ロック機構３０は、前記のボス部２６と、封止部３７と、ロックピン５０と、カシメキャップ５１とにより構成されている。４組のロック機構３０は、基板ケース１３の右端部に設けられている。図４に示すように、カバー側ガード壁３４の内側に筒状の４つの封止部３７が設けられ、これらの封止部３７は、ベースケース１７をカバーケース１８に重ね合わせて結合する際に前記４つのボス部２６と夫々同軸状に対向するように形成されている。封止部３７の奥端壁にはロックピン５０を嵌入させる小孔が形成されている。
【００３４】
ベースケース１７にカバーケース１８を重ね合わせて前記のＬ形スリット１５ａ〜１５ｃを介してスライドさせると、ボス部２６の小孔と封止部３７の小孔とが対向し、この状態においてロックピン５０を封止部３７に挿入し、カシメキャップ５１をロックピン５０に外嵌させた状態で押し込むことによりロックピン５０の先端部をボス部２６のボス本体部の小孔に係合させ、カシメキャップ５１を封止部３７の筒穴内に押し込んで、カシメキャップ５１を外部から取り外し不能とし、ベースケース１７とカバーケース１８を４組のロック機構３０によりカシメ状態とする。
【００３５】
図３、図６に示すように、カバーケース１８の内部には、プリント基板からなる主制御基板７が収納され、この主制御基板７がカバーケース１８のボス部２５に固定用ビス４７（第２締結部材）により固定される。主制御基板７は、表面７ａを電子部品の実装面とし、裏面７ｂをハンダ面としている。表面７ａには、演算処理機能を有するＣＰＵ３８、読み書き可能なメモリであるＲＡＭ３９、読み出し専用のメモリであるＲＯＭ１１、外部コネクタが接続される複数の基板側コネクタ２７ａ〜２７ｆ、複数の抵抗４０、複数のコンデンサ４１等の各種電子部品やリセットピン４２が実装されている。
【００３６】
ここで、遊技制御用のＲＯＭ１１には、パチンコ遊技機１の遊技制御用のシステムプログラムや大当りの当選確率や入賞時の賞球の払出し数等のデータテーブルが記憶されている。主制御基板７においてＲＯＭ１１に記憶されたシステムプログラムに従ってＣＰＵ３８が演算処理を行うことにより一連の遊技動作が制御される。
【００３７】
図３，図５に示すように、主制御基板７の表面７ａに取付けられたＲＯＭ１１は、主制御基板７から不正に外されたり、前記の遊技制御用プログラムや大当り抽選確率データテーブルが改造された不正ＲＯＭに交換されないように、ＲＯＭカバー１２で覆われている。このＲＯＭカバー１２は、正面視にて横長長方形の箱状のＲＯＭカバー本体１２ａと、ＲＯＭカバー本体１２ａの開口部の左右端部から延出した１対の平板状の取付片１２ｂとを有し、これらＲＯＭカバー本体１２ａと取付け片１２ｂは、透明の合成樹脂材料で一体成形されている。ＲＯＭカバー１２の取付け片１２ｂは、固定用ビス４６（第１締結部材）により主制御基板７の表面７ａに締結固定されている。ベースケース１７には、１対の固定用ビス４６に対応するボス部４９が突出形成されており、これらボス部４９のビス穴４５に固定用ビス４６の先端部が螺合される。
【００３８】
図３、図７、図８に示すように、ホルダーケース１４は、正面視にて横長長方形の透明の樹脂成形体であり、ベースケース１７の後側にベースケース１７に重なる状態に配設される。その上端壁部１４ａには、ベースケース１７の１対のヒンジ軸受け部２１ａ，２１ｂに対応するように、１対のヒンジ軸取付け部４３ａ，４３ｂが設けられている。これら１対のヒンジ軸取付け部４３ａ，４３ｂと１対のヒンジ軸受け部２１ａ，２１ｂは、夫々、１対の金属製のヒンジピン４４により連結される。ホルダーケース１４の下端壁部１４ｂの中央には、カバーケース１８の下端部の溝形成部１８ｂに係脱可能な係止フック５２が設けられている。
【００３９】
次に、主制御基板ユニット８を分離状態から使用状態に組み立てる組立作業について説明する。先ず最初に、図３、図５に示すように、ＲＯＭカバー１２をＲＯＭ１１を覆うように主制御基板７の表面７ａに取付ける。１対の取付け片１２ｂのビス穴と主制御基板７のビス孔を整合させた状態でＲＯＭカバー１２を主制御基板７の表面７ａに載置する。次に、固定用ビス４６を取付け片１２ｂのビス穴と主制御基板７のビス孔に挿通させ、ベースケース１７のボス部４９のビス穴４５にねじ込むことによりＲＯＭカバー１２が主制御基板７とベースケース１７に締結固定される。
【００４０】
次に、図３、図６に示すように、主制御基板７の隅部の位置決め孔に、カバーケース１８の位置決め用突起３１を嵌め込んで、主制御基板７がカバーケース１８の内部に仮止めされ、固定用ビス４７を主制御基板７のビス穴４８に挿通させてカバーケース１８のボス部２５のビス穴に螺合させることにより、主制御基板７がカバーケース１８の内部に締結固定される。
【００４１】
次に、主制御基板７を固定したカバーケース１８をベースケース１７に重ね合わせ、ベースケース１７の係合片１９ａ，１９ｂをカバーケース１８の係合溝２０ａ，２０ｂに係合させてからベースケース１７をカバーケース１８に対して相対的に左方へスライドさせる。ベースケース１７の嵌合部２２をカバーケース１８の嵌合孔３２に嵌合させ、カバーケース１８の係合片３６をベースケース１７の係合孔１６に係合させることで、ベースケース１７とカバーケース１８を重ね合せて係合させた状態にする。
【００４２】
次に、図３に示すように、４つのロックピン５０をカバーケース１８の４つの封止部３７に夫々挿通させ、４つのカシメキャップ５１を封止部３７に押し込むことによりロックピン５０の先端がベースケース１７のボス部２６のボス本体部の小孔に係合し、ベースケース１７とカバーケース１８がカシメ状態になって封印固定される。基板ケース１３が４組のロック機構３０により分離不能に強固に固定される。
【００４３】
次に、図３、図８、図９に示すように、ベースケース１７の１対のヒンジ軸受け部２１ａ，２１ｂをホルダーケース１４の１対のヒンジ軸取付け部４３ａ，４３ｂのヒンジピン４４に係合させてヒンジ結合する。このヒンジ結合により、基板ケース１３がヒンジピン４４を中心に手前側に揺動可能にホルダーケース１４に枢着されると共に、係止フック５２をカバーケース１８の下端部の溝形成部１８ｂに係合させることでホルダーケース１４に係止される。
【００４４】
次に、図９、図１０に示すように、ホルダーケース１４は、裏機構板６に図示外の固定ピンにより垂直姿勢に固定される。図１０に示すように、基板ケース１３が使用状態のときは、主制御基板７の表面７ａを直接目視することができる。一方、図９に示すように、主制御基板７の裏面７ｂを検査したいとき、係止フック５２をカバーケース１８から脱離させて、基板ケース１３を手前側へ揺動させることで主制御基板７の裏面７ｂが目視可能となる。
【００４５】
以上説明した実施例のパチンコ遊技機１の作用効果について説明する。
基板ケース１３においては、不正者が、基板ケース１３から主制御基板７の正規ＲＯＭ１１を取り外し、不正ＲＯＭに交換する場合、先ず、複数のロックピン５０とカシメキャップ５１をニッパやカッター等の切断工具等で切断、破壊して基板ケース１３の封止状態を開封し、ベースケース１７とカバーケース１８を分離する。
【００４６】
次に、ドライバー等の工具等で固定用ビス４７を取り外した後、カバーケース１８から主制御基板７を取り出す。更に、ドライバー等の工具等で１対の固定用ビス４６を取付け片１２ｂから取り外した後、主制御基板７の表面７ａからＲＯＭカバー１２を取り外すことでＲＯＭ１１に辿り着くことができる。ＲＯＭ１１に辿り着くまでの固定箇所を増やしたため、ＲＯＭ１１に辿り着くまでの一連の取り外し作業に手間と時間がかかるため、不正ＲＯＭの交換行為を確実に防止することができる。
【００４７】
カバーケース１８の外側にベースケース１７とカバーケース１８に重なる状態に配設されるホルダーケース１４を遊技盤の裏側の裏機構板６に固定状態に設け、ホルダーケース１４の上端部にカバーケース１８の上端部をヒンジ結合したので、ヒンジ結合により基板ケース１３を揺動させることができ、主制御基板７の裏面７ｂに対する不正行為を検査することができる。それ故、主制御基板７の裏面７ｂに対する不正行為を確実に防止することができる。
【００４８】
前記実施例を部分的に変更した変更した変更例について説明する。
１］実施例では、基板ケース１３に４組のロック機構３０を設けたが、５組以上ロック機構を備えてもよい。また、基板ケース１３の左端、上端、下端にも複数のロック機構を設けてもよい。
【００４９】
２］実施例では、ＲＯＭカバー１２を主制御基板７の表面７ａに固定用ビス４６で締結固定したが、熱カシメにより固定してもよい。ＲＯＭカバーの形状は、ＲＯＭ１１を覆う外部からの不正な取り外しを阻止できる形状であればよい。
【００５０】
３］カバーケース１８のビス孔を有するボス部２５を複数設けて、主制御基板７をカバーケース１８の内部に複数の固定用ビスで固定してもよい。
【００５１】
４］主制御基板７を収容する基板ケース１３だけでなく、画像制御基板を収容する基板ケースや演出制御基板を収容する基板ケース等にも本発明を適用してもよい。
５］実施例では、パチンコ遊技機に本発明を適用した一例を示したが、スロットマシンやその他の遊技機に本発明を適用してもよい。
【００５２】
６］その他、当業者であれば、本発明の趣旨を逸脱することなく、前記実施例に種々の変更を付加した形態が実施可能であり、本発明はそのような変更形態を包含するものである。
【図面の簡単な説明】
【００５３】
【図１】本発明の実施例のパチンコ遊技機の概略正面図である。
【図２】パチンコ遊技機の概略後面図である。
【図３】制御ユニットの分解斜視図である。
【図４】基板ケースの斜視図である。
【図５】基板ケースのＲＯＭカバーに係る要部断面図である。
【図６】図４のＶＩ−ＶＩ線断面図である。
【図７】基板ケースを回動させた状態を示す斜視図である。
【図８】主制御基板ユニットを示す斜視図である。
【図９】主制御基板の裏面を検査する状態を示す縦断面図である。
【図１０】基板ケースの使用状態を示す縦断面図である。
【符号の説明】
【００５４】
１      パチンコ遊技機
６      裏機構板
７      主制御基板
７ａ    表面（第１面）
７ｂ    裏面（第２面）
１１    ＲＯＭ
１２    ＲＯＭカバー
１３    基板ケース
１４    ホルダーケース
１７    ベースケース（第１ケース）
１８    カバーケース（第２ケース）
３０    ロック機構
４６    固定用ビス（第１締結部材）
４７    固定用ビス（第２締結部材）
５０    ロックピン
５１    カシメキャップ
【図１】
2010110474.tif 000003
【図２】
2010110474.tif 000004
【図３】
2010110474.tif 000005
【図４】
2010110474.tif 000006
【図５】
2010110474.tif 000007
【図６】
2010110474.tif 000008
【図７】
2010110474.tif 000009
【図８】
2010110474.tif 000010
【図９】
2010110474.tif 000011
【図１０】
2010110474.tif 000012